(57)【特許請求の範囲】
【請求項１】
床面に立設した左右方向に並ぶ複数の支柱の前面に、複数の係止孔を上下方向に列設し、該係止孔に、商品陳列手段を支持するブラケット等の後端に設けた係止爪を係止してなる商品陳列装置において、
上下方向を向き、かつ内部に照明灯を収容したカバー本体と、該カバー本体の下部に前端が結合され、後端に前記係止孔に係合可能な係止爪を備える前後方向を向く下部の支持アームと、該下部の支持アームより若干長く、前記カバー本体の上部に前端が結合され、後端部下面に、支柱の頂端に嵌合させうる差し込み部を備える前後方向を向く上部の支持アームとからなる照明装置を、前記照明灯が前記商品陳列手段を前方より照明するように、支柱に着脱自在に取り付けたことを特徴とする商品陳列装置。
【請求項２】
カバー本体を、水平断面Ｕ字状の不透光材料により形成し、その開口部を商品陳列手段に向けて取り付けた請求項１記載の商品陳列装置。
【請求項３】
カバー本体を、縦長の鋼板を水平断面Ｕ字状に折曲して形成するとともに、縁部に内向きの折り返し部を形成し、前記カバー本体の開口部に、前記折り返し部に係合して抜け止めされるようにした外向きの突片を縁部に設けた透光性のランプカバーを、着脱自在に嵌合した請求項１または２記載の商品陳列装置。
【請求項４】
照明灯を蛍光灯とし、下部の支持アーム内に安定器を収容させた請求項１〜３のいずれかに記載の商品陳列装置。
【発明の詳細な説明】
【０００１】
【発明の属する技術分野】
本発明は、商品陳列装置に関する。
【０００２】
【従来の技術】
従来、商品の陳列効果を増すための方策として、上段の棚の下面に下段の棚上の商品を照らす照明装置を取り付けたものや、棚の前端部に照明装置を設けて、この棚の上方と下方を照らすようにしたもの等が知られている。
また、陳列装置の上方に蛍光灯を配設し、かつ下方の基台上にも蛍光灯を取り付けて、中間に位置する陳列棚を、光の乱反射によりライトアップするものも知られている。
【０００３】
【発明が解決しようとする課題】
しかし、前者のものでは、棚の段数に応じて、照明灯を取り付けなければならない。また、後者のものでは、装置が徒らに複雑化して、コストアップの要因となっている。
【０００４】
本発明は、上述の問題点に鑑み、照明装置のない既存の商品陳列装置にも、構造が簡単な照明装置を、オプションとして簡単に取り付けて、陳列棚の陳列商品を有効に照明することができるようにした商品陳列装置を提供することを目的としている。
【０００５】
【課題を解決するための手段】
本発明によると、上記課題は、次のようにして解決される。
（１）床面に立設した左右方向に並ぶ複数の支柱の前面に、複数の係止孔を上下方向に列設し、該係止孔に、商品陳列手段を支持するブラケット等の後端に設けた係止爪を係止してなる商品陳列装置において、
上下方向を向き、かつ内部に照明灯を収容したカバー本体と、該カバー本体の下部に前端が結合され、後端に前記係止孔に係合可能な係止爪を備える前後方向を向く下部の支持アームと、該下部の支持アームより若干長く、前記カバー本体の上部に前端が結合され、後端部下面に、支柱の頂端に嵌合させうる差し込み部を備える前後方向を向く上部の支持アームとからなる照明装置を、前記照明灯が前記商品陳列手段を前方より照明するように、支柱に着脱自在に取り付ける。
【０００６】
（２）上記(１)項において、カバー本体を、水平断面Ｕ字状の不透光材料により形成し、その開口部を商品陳列手段に向けて取り付ける。
【０００７】
（３）上記(２)項において、カバー本体を、縦長の鋼板を水平断面Ｕ字状に折曲して形成するとともに、縁部に内向きの折り返し部を形成し、前記カバー本体の開口部に、前記折り返し部に係合して抜け止めされるようにした外向きの突片を縁部に設けた透光性のランプカバーを、着脱自在に嵌合する。
【０００８】
（４）上記(１)〜(３)項のいずれかにおいて、照明灯を蛍光灯とし、下部の支持アーム内に安定器を収容する。
【０００９】
【発明の実施の形態】
図１及び図２は、本発明の商品陳列装置の実施形態ではないが、本発明の理解を容易にするために、予備的に示す商品陳列装置の図面である。
図１は、照明装置を取り付けた状態を示す斜視図、図２は、照明装置及びその取付状況を説明する分解部分斜視図である。
【００１０】
図１に示す商品陳列装置は、床面上に載置した基台(１)に２本の支柱(２)(２)を立設し、これら支柱(２)間に複数段の商品陳列手段を設けた汎用形式のものである。
【００１１】
各支柱(２)の前面には、２列の係止孔(３)が縦方向に列設されており、この係止孔(３)に、ブラケット(４)の後端に設けられた係止爪（図示略）を任意の高さで係止することにより、両端にブラケット(４)が固着された左右方向を向くバー(５)が、左右の支柱(２)間に延在するようにして取り付けられている。このバー(５)に、小物商品を収容した小袋を吊り下げる前方を向く棒状のフック(６)が列設されている。
【００１２】
なお、ここでは、フック(６)を設けたものを例示したが、商品陳列手段としては、このフック(６)に限らず、一般の棚（図示略）をブラケット(４)により支持するようにしたものでもよいことはもちろんである。
【００１３】
上述のようなブラケット(４)等を取り付けるための係止孔(３)を利用して、支柱(２)に照明装置(７)が取り付けられている。これを、図２を参照して詳細に述べる。
【００１４】
照明装置(７)は、前後方向を向く上下の支持アーム(８)(９)と、両支持アーム(８)(９)の前端に上下部が結合された不透光性のカバー本体(10)とを、主要部材として備えている。
【００１５】
鋼板を折り曲げて形成した支持アーム(８)(９)の後端には、前述のブラケット(４)に形成した係止爪と同形の係止爪(11)が、後方に突出して設けられており、支柱(２)の前面における任意の高さ位置の係止孔(３)に係止される。
【００１６】
支持アーム(８)(９)は、フック(６)の前端より前方に長く延び、その前端が、例えば鋼板製のカバー本体(10)の端部に、例えば溶接等により固着されている。
【００１７】
上下方向に延びるカバー本体(10)は、縦長の鋼板を、水平断面Ｕ字状に折曲して形成したもので、その開口部を後方に向けて支持アーム(８)(９)に取り付けられており、その内部に、直管型の蛍光灯のような照明灯(12)が収容されている。
【００１８】
下部の支持アーム(９)は、上部の支持アーム(８)より上下寸法が大きく、その内部に、蛍光灯用の安定器(13)が収容されている。
【００１９】
図１に示すように、このような照明装置(７)を、相隣る２本の支柱(２)(２)間に取り付ければ、支柱(２)(２)の間の複数段の商品陳列部を、一様に照明することができる。
【００２０】
図３及び図４は、本発明の実施形態を示すもので、図３は、その部分分解斜視図であり、図４は、その本体カバーの拡大横断面図である。
【００２１】
図３に示すように、上部の支持アーム(８)は、下部の支持アーム(９)より若干長く、その後端部下面に設けた差し込み部(14)を、支柱(２)の頂端(15)に嵌合させることにより、支柱(２)に支持されている。
【００２２】
蛍光灯(12)は、その中間部分の２箇所において、カバー本体(10)内にねじ止めした把持金具(16)により把持されており、また下部の支持アーム(９)内に収容した安定器(13)からの２個のソケット(17)が、各端部に装着されている
【００２３】
図３及び図４に示すように、乳白色のアクリル製のような透光性のランプカバー(18)は、平面視前向きコ字状をなし、その前端両側部には外向きの突片(19)が形成されている。他方、カバー本体(10)は、縦長の鋼板を水平断面Ｕ字状に折曲し、その両方の縁部に内向きの折り返し部(20)が形成されている。
【００２４】
透光性のランプカバー(18)は、その前部の両側部をカバー本体(10)内に嵌合し、その外向きの突片(19)がカバー本体(10)の内向きの折り返し部(20)の端面に当接することによりカバー本体(10)から抜け止めされている。
【００２５】
【発明の効果】
請求項１記載の発明によれば、既存の商品陳列装置にも、簡単な構造の照明装置をオプションとして容易に取り付けることができる。また、従来の棚下照明によるライトアップに比べ、陳列されている商品の上下方向に発生する光のむらがなく、均一に商品を照らすことができ、商品を浮き立たせる効果が生まれる。  さらに、棚下照明では、棚上に陳列される商品にしか適用できず、商品陳列手段が限定されていたが、本発明によれば、棚だけでなく、フックなどを使用して陳列する商品陳列手段にも、同様に、コストを抑えながら、均一にライトアップすることが可能となる。
【００２６】
請求項２記載の発明によれば、照明の光が前方には向けられず、商品陳列部に集中して照射することができるとともに、顧客の目にまぶしさを与えないようにすることができる。
【００２７】
請求項３記載の発明によれば、簡単な構造で、ランプカバーを取り付けることができる。
【００２８】
請求項４記載の発明によれば、多数段の商品陳列手段の照明に好適であり、しかも、安定器の存在を隠して、美麗な外観を呈することができる。
【図面の簡単な説明】
【図１】  本発明の商品陳列装置の理解を容易にするために、予備的に示す商品陳列装置の斜視図である。
【図２】  同じく、その照明装置を分解して示す拡大部分斜視図である。
【図３】  本発明の実施形態の照明装置を分解して示す部分斜視図である。
【図４】  同じく、組み立てた状態のカバー本体部分の拡大横断平面図である。
【符号の説明】
(１)基台
(２)支柱
(３)係止孔
(４)ブラケット
(５)バー
(６)フック
(７)照明装置
(８)支持アーム
(10)カバー本体
(11)係止爪
(12)蛍光灯
(13)安定器
(14)差し込み部
(15)頂端
(16)把持金具
(17)ソケット
(18)ランプカバー
(19)突片
(20)折り返し部
【図１】
0004119139.tif 000002
【図２】
0004119139.tif 000003
【図３】
0004119139.tif 000004
【図４】
0004119139.tif 000005